(57)【特許請求の範囲】
【請求項１】
目地部を介して設けられた左右の建物の、目地部側の一方の建物の外壁に先端部が上下方向に回動可能で、後端部より上方に位置するように後端部が取付けられたへ字状の一方の目地カバーと、この一方の目地カバーと対応する部位の目地部側の他方の建物の外壁に先端部が上下方向に回動可能で、後端部より上方に位置して、該一方の目地カバーの先端部と重なり合うように後端部が取付けられたへ字状の他方の目地カバーと、前記一方の目地カバーの先端部に形成された、前記他方の目地カバーの先端部の傾斜面の下端部よりもその上端を上部に位置させて、かつ、他方の目地カバーの先端部の傾斜面の上端部よりもその下端を下部に位置させ、一方の目地カバーの先端部と他方の目地カバーの先端部とが重なりあう弧状のガイド部とからなることを特徴とする目地カバー装置。
【請求項２】
目地部を介して設けられた左右の建物の、目地部側の一方の建物の外壁に先端部が上下方向に回動可能で、後端部より上方に位置するように後端部が取付けられたへ字状の一方の目地カバーと、この一方の目地カバーと対応する部位の目地部側の他方の建物の外壁に先端部が上下方向に回動可能で、後端部より上方に位置して、該一方の目地カバーの先端部と重なり合うように後端部が取付けられたへ字状の他方の目地カバーと、前記一方の目地カバーの先端部に形成された、前記他方の目地カバーの先端部の傾斜面の下端部よりもその上端を上部に位置させて、かつ、他方の目地カバーの先端部の傾斜面の上端部よりもその下端を下部に位置させ、一方の目地カバーの先端部と他方の目地カバーの先端部とが重なりあう弧状のガイド部と、前記一方の目地カバーの先端部寄りの底面に一端部が取付けられ、前記他方の目地カバーの先端部寄りの底面に他端部が取付けられたほぼＵ字状に配置される防水シートとからなることを特徴とする目地カバー装置。
【請求項３】
目地部を介して設けられた左右の建物の、目地部側の一方の建物の外壁に先端部が上下方向に回動可能で、後端部より上方に位置するように後端部が取付けられたへ字状の一方の目地カバーと、この一方の目地カバーを常時一定位置に係止できるように、該一方の目地カバーと前記一方の建物との間に介装されたワイヤーやロープ等の一方の吊り下げ紐と、前記一方の目地カバーと対応する部位の目地部側の他方の建物の外壁に先端部が上下方向に回動可能で、後端部より上方に位置して、該一方の目地カバーの先端部と重なり合うように後端部が取付けられたへ字状の他方の目地カバーと、この他方の目地カバーを常時一定位置に係止できるように、該他方の目地カバーと前記他方の建物との間に介装されたワイヤーやロープ等の他方の吊り下げ紐と、前記一方の目地カバーの先端部に形成された、前記他方の目地カバーの先端部の傾斜面の下端部よりもその上端を上部に位置させて、かつ、他方の目地カバーの先端部の傾斜面の上端部よりもその下端を下部に位置させ、一方の目地カバーの先端部と他方の目地カバーの先端部とが重なりあう弧状のガイド部と、前記一方の目地カバーの先端部寄りの底面に一端部が取付けられ、前記他方の目地カバーの先端部寄りの底面に他端部が取付けられたほぼＵ字状に配置された防水シートとからなることを特徴とする目地カバー装置。
【発明の詳細な説明】
【技術分野】
【０００１】
本発明は目地部を介して設けられた左右の建物間の上部の目地部を覆う目地カバー装置に関する。
【背景技術】
【０００２】
従来、左右の建物の目地部間の上部を覆う目地カバー装置としては、目地部を介して設けられた左右の建物の一方の建物の目地部側壁面にほぼ垂直状態まで回動するようにヒンジ部材を介して取付けられた一方の目地カバーと、この一方の目地カバーの先端部寄りの底面に上方へ回動可能に接続する接続ヒンジ部材を介して取付けられるとともに、前記ヒンジ部材の取付け部よりも下部に位置する、前記他方の建物の目地部側壁面に外方へ突出する支持部材の上部に支持される他方の目地カバーと、この他方の目地カバーの下方の左右の側壁面に両端部が枢支された、伸縮可能あるいはスライド移動可能に取付けられた少なくとも２個以上の中央維持リンクと、この中央維持リンクの中央部にそれぞれ取付けられた、前記他方の目地カバーの後端部寄りの底面と当接して支持する支持片と、前記他方の目地カバーの先端部寄りの底面部位に固定された先端部が前記他方の建物の目地部側壁面あるいは支持部材に当接する他方の目地カバー回動アームと、一端が前記支持部材の上部に固定され、他端部が一方の建物の目地部側壁面に取付けられた巻取り装置に巻き取られた、前記他方の目地カバーの先端部が前記支持部材の上部へ戻すことができるガイドとなる他方の目地カバー支持装置とで構成されている。
【０００３】
しかしながら、構造が複雑で、コスト高になるとともに、設置に手数がかかるという欠点があった。
【特許文献１】特開２００４−１３７７６８
【発明の開示】
【発明が解決しようとする課題】
【０００４】
本発明は以上のような従来の欠点に鑑み、左右の建物が地震等で異なる左右方向に６００ｍｍの近接、離間しても、損傷なくその揺れ動きを吸収することができ、構造が簡単で、容易に設置することができるとともに、自動的に元の状態に戻る目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、目地部側の一方の建物の外壁に先端部が上下方向に回動可能で、後端部より上方に位置するように後端部が取付けられたへ字状の一方の目地カバーと、この一方の目地カバーと対応する部位の目地部側の他方の建物の外壁に先端部が上下方向に回動可能で、後端部より上方に位置して、該一方の目地カバーの先端部と重なり合うように後端部が取付けられたへ字状の他方の目地カバーと、前記一方の目地カバーの先端部に形成された、前記他方の目地カバーの先端部の傾斜面の下端部よりもその上端を上部に位置させて、かつ、他方の目地カバーの先端部の傾斜面の上端部よりもその下端を下部に位置させ、一方の目地カバーの先端部と他方の目地カバーの先端部とが重なりあう弧状のガイド部とで目地カバー装置を構成している。
【発明の効果】
【０００７】
以上の説明から明らかなように、本発明にあっては次に列挙する効果が得られる。
【０００８】
（１）目地部を介して設けられた左右の建物の、目地部側の一方の建物の外壁に先端部が上下方向に回動可能で、後端部より上方に位置するように後端部が取付けられたへ字状の一方の目地カバーと、この一方の目地カバーと対応する部位の目地部側の他方の建物の外壁に先端部が上下方向に回動可能で、後端部より上方に位置して、該一方の目地カバーの先端部と重なり合うように後端部が取付けられたへ字状の他方の目地カバーと、前記一方の目地カバーの先端部に形成された、前記他方の目地カバーの先端部の傾斜面の下端部よりもその上端を上部に位置させて、かつ、他方の目地カバーの先端部の傾斜面の上端部よりもその下端を下部に位置させ、一方の目地カバーの先端部と他方の目地カバーの先端部とが重なりあう弧状のガイド部とで構成されているので、地震等によって異なる左右方向に大きく近接した場合には、一方の目地カバーと他方の目地カバーの先端部が上方へ回動してその揺れ動きを吸収するとともに、大きく離間した場合には、一方の目地カバーと他方の目地カバーの先端部が離れて、その揺れ動きを吸収することができる。
【０００９】
（２）前記（１）によって、一方の目地カバーと他方の目地カバーとが離れて元の状態に戻ろうとする場合には、弧状のガイド部材に一方の目地カバーの傾斜面の先端部が当接して他方の目地カバーを押し上げるようにして下へもぐり込み、元の状態に自動的に戻すことができる。
【００１０】
（３）前記（１）によって、一方の目地カバー、他方の目地カバー、ガイド部とで構成されているので、構造が簡単で、容易に設置することができる。
【００１１】
（４）請求項２も前記（１）〜（３）と同様な効果が得られるとともに、一方の目地カバーと他方の目地カバーとが離れても、防水シートによって目地部を完全に覆うことができる。
【００１２】
（５）請求項３も前記（１）〜（４）と同様な効果が得られるとともに、一方の目地カバーと他方の目地カバーとを一方の吊り下げ紐と他方の吊り下げ紐によって、確実に一定位置に保持することができ、大きな異なる左右方向の移動が生じても、確実に自動的に元の状態に戻すことができる。
【発明を実施するための最良の形態】
【００１３】
以下、図面に示す本発明を実施するための最良の形態より、本発明を詳細に説明する。
【００１４】
図１ないし図６に示す本発明を実施するための最良の第１の形態において、１は目地部２を介して設けられた左右の建物３、３の上部の目地部２を覆う本発明の目地カバー装置で、この目地カバー装置１は前記左右の建物３、３の目地部側の一方の建物３の上部外壁３ａに前後方向にスライド移動可能で、所定量回動可能なヒンジ部材４を介して取付けられた、先端部が後端部より上方に位置するへ字状の一方の目地カバー５と、この一方の目地カバー５と対応する部位の目地部側の他方の建物３の外壁３ａに前後方向にスライド移動可能で、所定量回動可能なヒンジ部材４を介して取付けられた、該一方の目地カバー５の先端部と重なり合う先端部が後端部より上方に位置するへ字状の他方の目地カバー６と、この他方の目地カバー６の先端部に形成された、前記一方の目地カバー５の先端部の傾斜面７の下端部より上部で、上端部よりも下部に位置する弧状のガイド部８と、前記一方の目地カバー５の先端部寄りの底面に固定されたレール９に一端部が前後方向にスライド移動可能に取付けられ、前記他方の目地カバー６の先端部寄りの底面に固定されたレール９に他端部が前後方向にスライド移動可能に取付けられた、ほぼＵ字状に配置される防水シート１０と、前記一方の目地カバー５を常時一定位置に係止できるように、該一方の目地カバー５の先端部寄りの部位と前記一方の建物３との間に介装されたワイヤーやロープ等の一方の吊り下げ紐１１、１１と、前記他方の目地カバー６を常時一定位置に係止できるように、該他方の目地カバー６の先端部寄りの部位と前記他方の建物３との間に介装されたワイヤーやロープ等の他方の吊り下げ紐１２、１２とで構成されている。
【００１５】
前記ヒンジ部材４、４は図３に示すように、壁面３ａ、３ａに複数本のビス１３等によって固定されるほぼＣ字状の軸受１４が形成された固定金具１５と、この固定金具１５の軸受１４にスライド移動可能で、所定量回動可能な玉縁形状の軸１６が形成された、前記一方の目地カバー５の後端部あるいは前記他方の目地カバー６の後端部に複数本のビス１７等で取付けられる可動金具１８とで構成されている。
【００１６】
上記構成の目地カバー装置１は、通常時には図１および図２に示す状態で目地部２の上部を覆っている。
地震等によって左右の建物３、３が大きく揺れ動き、目地部２が狭くなると図４に示すように一方の目地カバー５と他方の目地カバー６の先端部が押し合い、先端部が上方へ回動してその揺れ動きを吸収し、揺れ動きが停止すると自動的に元の状態へ戻る。
また、目地部２が広くなると図５に示すように、一方の目地カバー５と他方の目地カバー６の先端部が離れるように移動するとともに、防水カバー１０も広がり、一方の目地カバー５、他方の目地カバー６、防水カバー１０で目地部２を覆う状態となる。揺れ動きが停止したり、目地部２の間隔が元の状態になる場合には、図６に示すように他方の目地カバー６の先端部の弧状のガイド部８と一方の目地カバー５の先端部の傾斜面７とが当接して、スライド移動して元の状態へ自動的に導くことができる。
さらに左右の建物３、３が異なる前後方向に揺れ動いた場合には、一方の目地カバー５と他方の目地カバー６がヒンジ部材４、４の可動金具１８、１８が前後方向にスライド移動して、その揺れ動きを吸収する。
[発明を実施するための異なる形態]
【００１７】
次に、図７ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図９に示す本発明を実施するための第２の形態において、前記本発明を実施するための最良の第１の形態と主に異なる点は、クランク状に形成した固定金具１５Ａ、１５Ａを用いたヒンジ部材４Ａ、４Ａで、一方の目地カバー５と他方の目地カバー６を取付けるとともに、防水カバー１０の両端部を固定的に取付けた点で、このようなヒンジ部材４Ａ、４Ａを用いて構成した目地カバー装置１Ａにしても、前記本発明を実施するための最良の第１の形態と同様な作用効果が得られるとともに、ヒンジ部材４Ａ、４Ａの固定金具１５Ａ、１５Ａで排水用の樋を形成することができる。  
【００１９】
図１０ないし図１４に示す本発明を実施するための第３の形態において、前記本発明を実施するための最良の第１の形態と主に異なる点は、一方の目地カバー５と他方の目地カバー６を複数個の蝶番状のヒンジ部材４Ｂ、４Ｂで一方の建物３の外壁３ａと、他方の建物３の外壁３ａとに取付けるとともに、該複数個のヒンジ部材４Ｂ、４Ｂ間で、かつ対向しない部位の一方の建物３の外壁３ａと他方の建物３の外壁３ａに一方の目地カバー５、他方の目地カバー６を常時一定位置で支持する複数個の支持台１９、１９を取付けた点で、このように構成した目地カバー装置１Ｂにしても、前記本発明を実施するための最良の第１の形態と同様な作用効果が得られる。
【００２０】
図１５ないし図１７に示す本発明を実施するための第４の形態において、前記本発明を実施するための最良の第１の形態と主に異なる点は、一方の目地カバー５と他方の目地カバー６のそれぞれの中央部分寄りの底面部位に、先端部にストッパー２０、２０を付けたガイドレール２１、２１を勾配方向に取付け、一方の建物３の外壁３ａと他方の建物３の外壁３ａに枢支金具２２、２２を介して取付けられた中間部が下方に少し曲がったアーム２３、２３、このアーム２３、２３の先端に取付けられたローラ２４、２４を前記ガイドレール２１、２１に挿入して、前記一方の目地カバー５と他方の目地カバー６を常時一定位置に支持する支持機構２５、２５を用いた点で、このように構成した目地カバー装置１Ｃにしても、前記本発明を実施するための最良の第１の形態と同様な作用効果が得られる。
【００２１】
なお、前記本発明を実施するための各形態では防水シート１０を用いるものについて説明したが、本発明はこれに限らず、防水シートを設置しないものを用いてもよい。
【産業上の利用可能性】
【００２２】
本発明は目地カバー装置を製造する産業で利用される。
【図面の簡単な説明】
【００２３】
【図１】本発明を実施するための最良の第１の形態の平面図。
【図２】図１の２−２線に沿う断面図。
【図３】本発明を実施するための最良の第１の形態のヒンジ部材の説明図。
【図４】本発明を実施するための最良の第１の形態の目地部が狭くなった動作説明図。
【図５】本発明を実施するための最良の第１の形態の目地部が広くなった動作説明図。
【図６】本発明を実施するための最良の第１の形態のガイド部の動作説明図。
【図７】本発明を実施するための第２の形態の平面図。
【図８】図７の８−８線に沿う断面図。
【図９】本発明を実施するための第２の形態のヒンジ部材の説明図。
【図１０】本発明を実施するための第３の形態の平面図。
【図１１】本発明を実施するための第３の形態の底面図。
【図１２】図１０の１２−１２線に沿う断面図。
【図１３】本発明を実施するための第３の形態の目地部が狭くなった平面図。
【図１４】図１３の１４−１４線に沿う断面図。
【図１５】本発明を実施するための第４の形態の平面図。
【図１６】図１５の１６−１６線に沿う断面図。
【図１７】本発明を実施するための第４の形態の支持機構の説明図。
【符号の説明】
【００２４】
１、  、１Ａ、１Ｂ：目地カバー装置、  ２：目地部、
３：建物、          ４、４Ａ、４Ｂ：ヒンジ部材、
５：一方の目地カバー、      ６：他方の目地カバー、
７：傾斜面、          ８：ガイド部、
９：レール、          １０：防水シート、
１１：一方の吊り下げ紐、      １２：他方の吊り下げ紐、
１３：ビス、          １４：軸受、
１５、１５Ａ：固定金具、      １６：軸、
１７：ビス、          １８：可動金具、
１９：支持台、        ２０：ストッパー、  
２１：レール、        ２２：枢支金具、  
２３：アーム、        ２４：ローラ、
２５：支持機構。
【図１】
0004440839.tif 000002
【図２】
0004440839.tif 000003
【図３】
0004440839.tif 000004
【図４】
0004440839.tif 000005
【図５】
0004440839.tif 000006
【図６】
0004440839.tif 000007
【図７】
0004440839.tif 000008
【図８】
0004440839.tif 000009
【図９】
0004440839.tif 000010
【図１０】
0004440839.tif 000011
【図１１】
0004440839.tif 000012
【図１２】
0004440839.tif 000013
【図１３】
0004440839.tif 000014
【図１４】
0004440839.tif 000015
【図１５】
0004440839.tif 000016
【図１６】
0004440839.tif 000017
【図１７】
0004440839.tif 000018